(57)【要約】【課題】情報処理システムに用いられるセンサ装置を小型化する。【解決手段】情報処理システム３０は、吸収性物品４に取り付けられて吸収性物品４の雰囲気情報を検出するセンサ装置７と、雰囲気情報に基づいて吸収性物品４を装着した着用者に関する情報を演算する演算部１１０′と、センサ装置７で検出された雰囲気情報を受信して演算部１１０′に送信する中継部とを備える。【選択図】図１０
2018023778.tif 000002
【特許請求の範囲】
【請求項１】
吸収性物品に取り付けられ、前記吸収性物品の雰囲気情報を検出するセンサ装置と、
前記雰囲気情報に基づいて、前記吸収性物品を装着した着用者に関する情報を演算する演算部と、
前記センサ装置で検出された雰囲気情報を受信して前記演算部に送信する中継部と
を備えたことを特徴とする情報処理システム。
【請求項２】
前記中継部は、互いに異なる地点に設置された複数の中継機のうち前記雰囲気情報が経由した固有中継機の識別情報を前記演算部に送信し、
前記演算部は、前記識別情報に基づいて、前記センサ装置の取り付けられた前記着用者の位置を推定する
ことを特徴とする請求項１に記載された情報処理システム。
【請求項３】
前記演算部は、前記識別情報が送信された場合に、前記固有中継機の設置された地点またはその周辺に前記着用者が位置すると推定する
ことを特徴とする請求項２に記載された情報処理システム。
【請求項４】
前記演算部は、前記識別情報が送信されない場合に、前記複数の中継機が設定された各地点またはその周辺に前記着用者が位置していないと推定する
ことを特徴とする請求項２または３に記載された情報処理システム。
【請求項５】
上記の請求項１〜４の何れか１項に記載された情報処理システムと
前記情報を報知する報知部と
を備えたことを特徴とする報知システム。
【請求項６】
前記演算部は、前記雰囲気情報の変動に基づいて、前記着用者の排泄に関する排泄情報を演算し、
前記報知部は、前記排泄情報を報知する
ことを特徴とする請求項５に記載された報知システム。
【請求項７】
前記演算部は、
前記変動に基づいて、前記着用者の排泄時点を判定する判定部を有し、
前記排泄時点に基づいて、前記排泄情報を演算する
ことを特徴とする請求項６に記載された報知システム。
【請求項８】
前記演算部は、
前記排泄時点からの経過時間を計測するタイマを有し、
前記経過時間に基づいて、前記排泄情報を演算する
ことを特徴とする請求項７に記載された報知システム。
【請求項９】
前記演算部は、前記排泄時点からの前記変動の量に基づいて、前記排泄情報を演算する
ことを特徴とする請求項７または８に記載された報知システム。
【請求項１０】
前記演算部は、
前記排泄時点からの前記変動の低下度合いに基づいて、前記着用者からの排泄物の種類を類別する類別部を有し、
前記排泄物の種類に応じて、前記排泄情報を演算する
ことを特徴とする請求項７〜９の何れか１項に記載された報知システム。
【請求項１１】
前記センサ装置は、前記吸収性物品において複数箇所に設けられる
ことを特徴とする請求項５〜１０の何れか１項に記載された報知システム。
【請求項１２】
前記センサ装置は、静電容量型である
ことを特徴とする請求項５〜１１の何れか１項に記載された報知システム。
【請求項１３】
吸収性物品の雰囲気情報を検出する検出工程と、
前記雰囲気情報の変動に基づいて、着用者の排泄に関する排泄情報を演算する演算工程
と、
前記排泄情報を報知する報知工程と
を備えたことを特徴とする報知方法。
【請求項１４】
吸収性物品の雰囲気情報を検出する検出工程と、前記雰囲気情報の変動に基づいて、着
用者の排泄に関する排泄情報を演算する演算工程と、前記排泄情報を報知する報知工程と
を備えた報知方法のために使用され、
前記演算工程における前記排泄情報の演算をコンピュータに実行させる
ことを特徴とするプログラム。
【請求項１５】
請求項１４に記載されたプログラムが記録された
コンピュータ読み取り可能な記録媒体。
【発明の詳細な説明】
【技術分野】
【０００１】
本件は、おむつや尿パッドなどの吸収性物品に取り付けられたセンサ装置の情報を処理するシステムに関する。
【背景技術】
【０００２】
近年、吸収性物品を装着した着用者の排泄に関する情報を報知する技術が開発されている。この技術では、吸収性物品に取り付けられたセンサ装置で検出された情報が送信された報知部で報知される。
たとえば、おむつに取り付けられたセンサ装置で着用者による排泄の有無を検知し、この検知結果を聴覚的あるいは視覚的に報知することが検討されている（特許文献１参照）。
【先行技術文献】
【特許文献】
【０００３】
【特許文献１】特許3136438号公報
【発明の概要】
【発明が解決しようとする課題】
【０００４】
しかしながら、センサ装置から受信機に対して直接的に検知情報が送信される場合には、センサ装置の情報送信距離や無線出力が要求され、バッテリや情報送信部の大型化を招き、センサ装置の小型化が困難という課題がある。
また、吸収性物品に取り付けられたセンサ装置で検出された情報をそのまま報知するだけでは、報知される情報の精度を確保することができないおそれがある。よって、適切な情報を報知するうえで改善の余地がある。
本件は、上記のような課題に鑑みて創案されたものであり、情報処理システムに用いられるセンサ装置の小型化を目的の一つとする。また、適切な情報の報知をもう一つの目的とする。
【課題を解決するための手段】
【０００５】
ここで開示する情報処理システムは、吸収性物品に取り付けられて前記吸収性物品の雰囲気情報を検出するセンサ装置と、前記雰囲気情報に基づいて前記吸収性物品を装着した着用者に関する情報を演算する演算部と、前記センサ装置で検出された雰囲気情報を受信して前記演算部に送信する中継部とを備える。
また、ここで開示する報知システムは、上記の情報処理システムと、前記情報を報知する報知部とを備える。
【発明の効果】
【０００６】
本件によれば、情報処理システムに用いられるセンサ装置を小型化することができる。また、本件の報知システムによれば、情報を適切に報知することができる。
【図面の簡単な説明】
【０００７】
【図１】第一実施形態に関する報知システムのセンサ装置（排泄検知装置）およびこのセンサ装置が取り付けられる紙おむつ（吸収性物品）を示す分解斜視図である。
【図２】第一実施形態に関するセンサ装置を示す平面図である。
【図３】図１の要部（矢視α−α）における断面図である。なお、図３では、図示の便宜上、取付部の厚みを誇張して示す。
【図４】第一実施形態に関する報知システムの前提となる基本的な構成を示す模式図である。
【図５】第一実施形態に関する報知システムの制御に関する詳細な構成を示すブロック図である。
【図６】第一実施形態に関する報知方法を示すフローチャートである。
【図７】図６の演算工程を詳細に示すフローチャートである。
【図８】第一実施形態に関する報知システムを説明するタイムチャートであり、（ａ）に湿度ｈを示し、（ｂ）に温度Ｔを示し、（ｃ）に排泄時点の判定の有無に関する排泄フラグＦ1を示し、（ｄ）に流動体の排泄物に関する第一不快度フラグＦ21を示し、（ｅ）に固形の排泄物に関する第二不快度フラグＦ22を示し、（ｆ）にフラグＦ21およびＦ22の論理和である不快度フラグＦ2を示す。
【図９】第一実施形態に関するセンサ装置における取付部の変形例を要部（図１の矢視α−αに対応する部位）で破断させて示す斜視図である。なお、図９では、図示の便宜上、取付部の厚みを誇張して示す。
【図１０】第二実施形態に関するセンサ装置およびこのセンサ装置が取り付けられる吸収性物品を示す分解斜視図である。
【図１１】第二実施形態に関する報知システムの一部をなす情報処理システムを示す模式図である。
【発明を実施するための形態】
【０００８】
以下、実施形態としてのセンサ装置（排泄検知装置）およびこのセンサ装置が用いられる情報処理システムを含む報知システム，報知方法ならびにプログラムおよびこのプログラムが記録された記録媒体について説明する。なお、以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【０００９】
本実施形態のセンサ装置は、吸収性物品に取り付けられる。吸収性物品は、排泄を十分に自己管理することができない成人や幼児などの着用者に装着される衛生用品である。この吸収性物品は、着用者から排泄される尿便や糞便といった糞尿をはじめ、経血やおりものを吸収あるいは保持する。吸収性物品としては、テープ型やパンツ型の紙おむつ（いわゆる「使い捨ておむつ」）あるいは布おむつ，尿パッド，生理用ナプキン，パンティーライナーなどが挙げられる。
本実施形態においては、パッドと紙おむつとの組み合わせで使用される複合体も吸収性物品とする。すなわち、ISO15621に規定されているように、内装体としての尿パッド(補助パッド)を外装体としての紙おむつによって装着者または装着位置に保持する使用例において、尿パッドおよび紙おむつの複合体も吸収性物品とする。
なお、吸収性物品へのセンサ装置の取り付けには、吸収性物品に対してセンサ装置を直接的に取り付けることはもちろん、吸収性物品が取り付けられる下着や補助具（ホルダーパンツ）に対してセンサ装置を間接的に取り付けることも含まれるものとする。
【００１０】
以下の実施形態では、吸収性物品としてパンツ型の紙おむつを例示する。この紙おむつについては、着用者の腹部に対向して配置される前身頃と背部に対向して配置される後身頃とを結ぶ方向を長手方向とする。これらの前身頃（長手方向の一側）と後身頃（長手方向の他側）との間（長手方向の中央）には、着用者の股下に配置（股間に対向して配置）される股下部が位置する。また、紙おむつが着用者に装着された状態（以下「装着状態」と略称する）において、着用者の肌に向かう側（装着状態で内側）を肌面側とし、肌面側の反対側（装着状態で外側）を非肌面側とする。さらに、肌面側と非肌面側とを結ぶ方向を厚み方向とし、長手方向と厚み方向の何れにも直交する方向を幅方向とする。センサ装置についても、取り付けられる紙おむつの各方向を用いる。そのほか、厚み方向から視ることを平面視とする。
また、本実施形態では、特に断らない限り「数値Ｘ〜数値Ｙ」なる表記が「数値Ｘ以上であって数値Ｙ以下である」ことを意味する。
【００１１】
［Ｉ．第一実施形態］
本実施形態では、図面を参照して、報知システム１，この報知システム１を用いた報知方法の順に各構成を説明する。
報知システム１の構成では、この報知システム１で用いられるセンサ装置１０の取付先である紙おむつ２，この紙おむつ２に取り付けられるセンサ装置１０，このセンサ装置１０を用いた報知システム１の基本構成および詳細構成の順に述べる。
報知方法の構成では、報知システム１を用いて報知する方法を時系列に沿って述べる。
【００１２】
［１．紙おむつ］
まず、図１を参照して、紙おむつ２の基本的な構成を説明する。
紙おむつ２では、シート状あるいはマット状の部材が積層されている。積層される各部材は、紙おむつ２での蒸れを抑えるために、通気性すなわち透湿性をもつ。つまり、紙おむつ２は通気性を有している。
この紙おむつ２には、前身頃２Ａ，股下部２Ｂおよび後身頃２Ｃの三つの領域が長手方向に沿って配置され、これらの三領域に跨って吸収体２ａが内蔵されている。
【００１３】
吸収体２ａは、液体を吸収して保持するマット状の部材である。たとえば、粉砕あるいは解繊されたパルプ（いわゆる「フラッフパルプ」）に高吸水性樹脂（いわゆるＳＡＰ〈Super Absorbent Polymer〉とも称される）が混合されたコアがラップシートで被包（ラップ）されたコアラップやこのコアラップに防水透湿シート（バックシート）が積層された積層体が吸収体２ａとして用いられる。
【００１４】
また、紙おむつ２の最も非肌面側には、吸収体２ａを非肌面側から被覆するようにカバーシート２ｂが積層されている。カバーシート２ｂは、紙おむつ２を補強するとともに触感（たとえば手触り）を向上させるために設けられる。なお、カバーシート２ｂは、単層構造に限らず、インナ―カバーシートおよびアウターカバーシートを有する多層構造であってもよい。
このカバーシート２ｂの非肌面側には、つぎに説明するセンサ装置１０が取り付けられる。
【００１５】
［２．センサ装置］
図１および図２に示すように、センサ装置１０には、紙おむつ２における雰囲気の情報（以下「雰囲気情報」と略称する）を検出する装置本体部１１のほか、この装置本体部１１をカバーシート２ｂに取り付ける取付部１２が含まれる。
ここでは、カバーシート２ｂおよび取付部１２が互いに貼着するファスニング機構を構成している。
【００１６】
ファスニング機構としては、フック材（雄部材）とループ材（雌部材）との機械的結合により固定する面状ファスナーが用いることができる。
面状ファスナーは、表面に多数の突起（たとえば鉤状やきのこ状など）が形成されたフック材と、表面にループ状の繊維が配置されたループ材との組み合わせにより構成される。すなわち、カバーシート２ｂおよび取付部１２のうちの何れか一方にフック材が設けられ、他方にループ材が設けられる。面状ファスナーを用いることで、フック材およびループ材を剥離可能な状態としつつ強固に貼着させることができ、繰り返して使用することもできる。
【００１７】
ただし、面状ファスナーに替えてまたは加えて、粘着剤や粘着テープなどをファスニング機構に用いてもよい。
上記したカバーシート２ｂと取付部１２との間には装置本体部１１が挟まれ、この装置本体部１１が紙おむつ２の股下部２Ｂに取り付けられる。
【００１８】
［２−１．装置本体部］
装置本体部１１には、雰囲気情報を検出するセンサ部１１Ｂやこのセンサ部１１Ｂに給電するバッテリ１１Ｃ（電源機器）を内蔵するハウジング１１Ａが設けられる。
このハウジング１１Ａは、内蔵されるセンサ部１１Ｂおよびバッテリ１１Ｃを水分から保護するために防水性を有するものの、通気性は無い。
【００１９】
ただし、ハウジング１１Ａの一部には検出口が穿設されている。この検出口には、センサ部１１Ｂのうちの検出部１１ａ（露出部位）が配置されている。そのため、取り付けられた状態の装置本体部１１では、肌面側に露出した状態の検出部１１ａが雰囲気情報を検出する。具体的に言えば、静電容量型の検出部１１ａが用いられており、この検出部１１ａで静電容量が検出される。そして、処理部１１ｂによって検出された静電容量に対応する雰囲気情報が演算処理される。
ここでは、雰囲気情報として、検出部１１ａと着用者との間に位置する紙おむつ２の湿度および温度が検出される。そのため、以下の説明では、雰囲気情報として検出される湿度および温度をまとめて湿度・温度と呼ぶ。
【００２０】
そのほか、ハウジング１１Ａは、衛生機器に要求される基本的な性能をもつ。たとえば、尿便が排泄される紙おむつ２に装置本体部１１が取り付けられることから、耐水性あるいは撥水性やアンモニアに対する耐性をハウジング１１Ａにもたせることが好ましい。また、装置本体部１１を繰り返して使用する際に清潔性を確保する観点から、次亜塩素酸などの殺菌剤に対する耐薬品性や抗菌性をハウジング１１Ａにもたせることが好ましい。さらに、視認性を向上させる観点から、蓄光性，蛍光性あるいは発光性をハウジング１１Ａにもたせてもよい。
【００２１】
また、着用者に対する装置本体部１１の異物感を軽減させるために、内蔵された機器の保護性を確保した剛度をもたせたうえでハウジング１１Ａの剛度を低下させてもよいし、装置本体部１１の浸水を考慮して機器を内蔵したハウジング１１Ａ（すなわち装置本体部１１）に浮力をもたせてもよい。
なお、図１および図２では、平面視で楕円型をなすハウジング１１Ａを例示するが、内蔵されるセンサ部１１Ｂの形状あるいは大きさ，設計上や意匠上の要求などに応じて種々の形状や大きさのハウジング１１Ａを採用することができる。たとえば、着用者に対する装置本体部１１の異物感を軽減させる観点から、滑らかな表面形状のハウジング１１Ａを採用することができる。また、着用者による装置本体部１１の誤飲を防止する観点から、少なくとも一方向の寸法が所定寸法よりも大きいハウジング１１Ａを採用することもできる。
上記した装置本体部１１は、つぎに説明する取付部１２によって紙おむつ２に取り付けられる。
【００２２】
［２−２．取付部］
取付部１２は、平面視において、装置本体部１１の少なくとも一部を被覆したうえで、装置本体部１１よりも大きな領域に延在する形状を有する。
図１および図２では、平面視でＸ字型であって装置本体部１１の大部分を被覆する取付部１２を例示する。
【００２３】
ただし、取り付けられる装置本体部１１の形状や大きさ，設計上や意匠上の要求などに応じて種々の形状や大きさの取付部１２を採用することができる。たとえば、紙おむつ２への装置本体部１１の取付けを確実にするために、平面視で装置本体部１１の全部を被覆する大きさあるいは形状の取付部１２を採用することができる。また、取付部１２の材料を低減させるために、帯状の取付部１２を採用することもできる。
【００２４】
この取付部１２は、紙おむつ２に対して装置本体部１１を取り付けることによる通気性の低下を抑えるために、紙おむつ２よりも高い通気性が少なくとも一部の通気領域ＲVにもたせられている。
たとえば、通気領域ＲVの通気性は、紙おむつ２の股下部２Ｂにおける吸収体２ａよりも高い通気性とされる。この通気領域ＲVの通気性は、通気抵抗で評価することができる。通気抵抗とは、空気が流れるときの抵抗である。そのため、通気抵抗が小さいほど通気性が高い。具体的に言えば、通気領域ＲVの通気抵抗は、１．００［ｋＰａ・ｓ／ｍ］以下であることが好ましく、０．８０［ｋＰａ・ｓ／ｍ］以下であることがより好ましく、０．５０［ｋＰａ・ｓ／ｍ］以下であることがよりいっそう好ましい。通気抵抗が１．００［ｋＰａ・ｓ／ｍ］以下の通気領域ＲVをもつ取付部１２であれば、一般的な紙おむつ２の通気性よりも高く、通気抵抗が小さいほど通気性に関する着用者の快適性が確保される。これに対して、股下部２Ｂにおける吸収体２ａの通気抵抗は１．３〜１．５［ｋＰａ・ｓ／ｍ］とされる。
【００２５】
ここでは、取付部１２の全領域が通気領域ＲVとされる。そのため、平面視で装置本体部１１に対して取付部１２が重複しない領域が通気領域ＲVに含まれる。
図３に示すように、取付部１２では、通気層１２ａおよび付着層１２ｂが積層されている。装置本体部１１を紙おむつ２に取り付けた状態の取付部１２では、通気層１２ａに対して肌面側に付着層１２ｂが配置される。
【００２６】
ここでは、通気層１２ａの全部に対して付着層１２ｂが積層されている。言い換えれば、平面視における通気層１２ａおよび付着層１２ｂの各形状が一致している。
取付部１２の全領域が通気領域ＲVであることから、通気層１２ａおよび付着層１２ｂが積層された二層の通気性が紙おむつ２の通気性よりも高い。たとえば、紙おむつ２のほか付着層１２ｂよりも通気層１２ａの通気性が高く設定され、紙おむつ２よりも付着層１２ｂの通気性が高く設定される。
【００２７】
通気層１２ａとしては、通気性の確保された材料であれば、不織布やフィルムといった種々の公知材料を用いることができる。各種材料を積層もしくは複合化し、部分的に異なる性質を付与した通気層１２ａを用いてもよい。あるいは、通気性の無いもしくは低い材料に孔開けなどの加工を施し、通気性を付与したものを通気層１２ａとして使用してもよい。また、付着層１２ｂとしては、ファスニング機構の一方または他方を構成する材料であれば、樹脂材や粘着剤といった種々の公知材料を用いることができる。
そのほか、取付部１２も撥水性をはじめとした衛生用品に要求される基本的な性能をもつ。たとえば、通気層１２ａおよび付着層１２ｂの少なくとも一方には、取付部１２の撥水性を確保するために公知の撥水材料が用いられる。
【００２８】
あるいは、視認性を向上させる観点から、取付部１２に蓄光性，蛍光性あるいは発光性をもたせてもよい。
さらに、装置本体部１１と取付部１２との間に、装置本体部１１と取付部１２とを確実に固定する補助取付部を追加してもよい。この補助取付部としては、装置本体部１１の非肌面側に貼着するとともに取付部１２の肌面側に付着する部材を用いることができる。
【００２９】
［３．報知システム］
つぎに、図４および図５を参照して、報知システム１を説明する。
まず、図４を参照して、報知システム１の前提となるコンピュータ１００の基本構成を述べる。なお、ここでいうコンピュータ１００には、据え置き型やモバイル型のパーソナルコンピュータのほか、いわゆるタブレットやスマートフォンなどの多機能携帯端末などが含まれる。
コンピュータ１００には、ＣＰＵ（Central Processing Unit）やＭＰ（Multi Processor）などの演算部１１０と、ＲＯＭ（Read Only Memory）やＲＡＭ（Random Access Memory）などのメモリ１２０（蓄積部）と、ＨＤＤ（Hard Disk Drive），ＳＳＤ（Solid State Drive），光学ドライブ，フラッシュメモリ，リーダライタなどの外部記憶装置１２１，キーボードやマウスなどの入力装置１２２，ディスプレイやプリンタ装置などの出力装置１２３，無線または有線で送受信する通信装置１２４が設けられる。これらの各デバイス１１０，１２０，１２１，１２２，１２３，１２４は、コンピュータ１００の内部に設けられた制御バスやデータバスなどのバス１２５を介して互いに通信可能に接続される。
【００３０】
このコンピュータ１００は、プログラム１２６を実行可能な汎用のコンピュータである。このプログラム１２６は、外部記憶装置１２１にインストールされる。
なお、光学ドライブ，フラッシュメモリ，リーダライタなどで読み取り可能な記録媒体１２７にプログラム１２６を記録しておいてもよい。あるいは、コンピュータ１００が接続可能なネットワーク上のオンラインストレージ１２８（蓄積部）にプログラム１２６を記録しておいてもよい。何れにしても、コンピュータ１００の外部記憶装置１２１にプログラム１２６をダウンロードする、あるいは、演算部１１０やメモリ１２０にプログラム１２６を読み込むことで、プログラム１２６が実行可能であればよい。
【００３１】
つづいて、図５を参照して、報知システム１の制御に関する詳細な構成を述べる。
この報知システム１には、コンピュータ１００の入力側に上述したセンサ装置１０が設けられ、コンピュータ１００の出力側に報知部１３０が設けられる。これらのセンサ装置１０および報知部１３０とコンピュータ１００とは、ｂｌｕｅｔｏｏｔｈ（登録商標）やｗｉｆｉなどの無線あるいは有線で情報伝達可能に接続される。ここでは、湿度・温度がセンサ装置１０からコンピュータ１００に伝達され、伝達された湿度・温度に基づいて報知部１３０で報知する情報をコンピュータ１００が演算する。
【００３２】
なお、報知システム１は、単数の着用者だけでなく、複数の着用者に対して適用することができる。すなわち、複数人の着用者に装着される紙おむつ２のそれぞれにセンサ装置１０が取り付けられ、各センサ装置１０からコンピュータ１００に湿度・温度が入力されてもよい。この場合には、着用者のそれぞれを識別するためのＩＤ情報が各センサ装置１０からコンピュータ１００に出力され、ＩＤ情報のそれぞれに紐付けられた湿度・温度がコンピュータ１００に入力される。
【００３３】
［３−１．コンピュータ］
コンピュータ１００では、センサ装置１０から伝達された湿度・温度が上述したメモリ１２０に記憶（蓄積）される。あるいは、センサ装置１０から伝達された湿度・温度がデータサーバなどのオンラインストレージ１２８に蓄積されてもよい。この場合には、オンラインストレージ１２８に蓄積された湿度・温度にコンピュータ１００からアクセス可能なものとする。
つづいて、メモリ１２０あるいはオンラインストレージ１２８に記憶された湿度・温度に基づいて着用者の排泄に関する情報（以下「排泄情報」という）が演算部１１０で演算される。そして、演算部１１０で演算された排泄情報が報知部１３０に出力される。
以下、メモリ１２０，演算部１１０，報知部１３０の順に各構成を詳述する。
【００３４】
［３−１−１．メモリ］
メモリ１２０には、センサ装置１０から湿度・温度が所定の周期で伝達される。すなわち、センサ装置１０は、所定の周期で湿度・温度をコンピュータ１００に出力する。そして、メモリ１２０は、各周期で伝達された湿度・温度を記憶し蓄積する。
なお、ここでいう所定の周期は、１秒，５秒，３０秒，１分，５分といった種々の周期に設定される。更に言えば、所定の周期は、一定の周期に限らず、可変の周期であってもよい。
【００３５】
［３−１−２．演算部］
演算部１１０は、メモリ１２０に記憶された湿度・温度の変動に基づいて排泄情報を演算する。
なお、演算部１１０は、湿度・温度のうち一方の変動に基づいて排泄情報を演算してもよい。この場合にセンサ装置１０で検出する雰囲気情報は、湿度または温度だけでよい。このように雰囲気情報が一種の場合には、センサ装置１０を簡素な構成とすることができる。これに対し、雰囲気情報が湿度および温度の二種の場合には、排泄情報の精度を確実に確保することができ、更に言えば、排泄物の種類や性状を推定することも可能となる。
【００３６】
この演算部１１０には、排泄情報を演算するために、着用者の排泄時点（排泄をしたタイミング）を判定する判定部１１１，排泄時点からの経過時間ｔを計測するタイマ１１２，排泄物の種類を類別する類別部１１３の三つの機能要素が設けられている。これらの機能要素は、実行されるプログラム１２６の一部の機能を示すものであり、ソフトウェアで実現されるものとする。ただし、各機能の一部または全部をハードウェア（電子回路）で実現してもよく、あるいはソフトウェアとハードウェアとを併用して実現してもよい。
【００３７】
〈判定部〉
判定部１１１は、湿度・温度が変動した量に基づいて着用者の判定時点を判定する。具体的には、湿度・温度の変動のうち上昇に着目して設定された下記の条件Ａ１またはＡ２が成立した場合に、着用者の排泄時点を判定する。
条件Ａ１：湿度・温度の上昇度合いが排泄上昇度合いよりも大きいこと
条件Ａ２：湿度・温度が所定上昇値を上回ること
上記の条件Ａ１における「度合い」とは、単位時間あたりの変動量を意味する。そのため、条件Ａ１は、湿度・温度の単位時間あたりの正の変動量が所定量よりも大きいことと言うこともできる。
【００３８】
この条件Ａ１は、排泄時に紙おむつ２の湿度や温度が急上昇することから、湿度・温度が上昇する度合いに着目して設定された条件である。これに関し、交換直後の紙おむつ２においても湿度や温度は緩やかに上昇する。しかしながら、交換直後の紙おむつ２における湿度・温度の上昇度合いよりも、排泄時における紙おむつ２の湿度・温度の上昇度合いのほうが大きい。そこで、前者の上昇度合いを排除しつつ後者の上昇度合いを判別するために、予め実験的または経験的に排泄上昇度合いが設定される。
そのため、条件Ａ１の「排泄上昇度合い」は、排泄時点の判定閾値として、交換直後の紙おむつ２における湿度・温度の上昇度合いよりも大きく、かつ、排泄時における紙おむつ２の湿度・温度の上昇度合いよりも小さく設定される。
【００３９】
上記の条件Ａ２は、排泄時に紙おむつ２の湿度や温度が高くなることから、湿度・温度の上昇した値に着目して設定された条件である。これに関し、条件Ａ１で述べたように、交換直後の紙おむつ２においても湿度・温度の値は緩やかに上昇する。それから、湿度・温度はほぼ一定値を保持する。そして、排泄時には、湿度・温度の値が保持された一定値から更に上昇する。そこで、前者の上昇を排除しつつ後者の上昇を判別するために、予め実験的または経験的に所定上昇値が設定される。
そのため、条件Ａ２の「所定上昇値」は、排泄時点の判定値として、紙おむつ２の交換直後に上昇してから保持される湿度・温度の一定値よりも大きく、かつ、排泄時に上昇した湿度・温度の最大値よりも小さく設定される。
【００４０】
そのほか、着用者の排泄時点を判定する条件として下記の条件Ａ３を含ませてもよい。
条件Ａ３：湿度・温度のうち温度が上昇して低下したこと
上記の条件Ａ３は、排泄時に紙おむつ２の温度が上昇したのちに低下することから、この温度の上下変動に着目して設定された条件である。この条件Ａ３に関し、紙おむつ２では、交換されてから排泄するまでの間に温度は基本的に低下しない。一方、排泄後の紙おむつ２では、上述したように排泄直後には温度が上昇し、その後には排泄物の放熱によって温度が低下する。
なお、条件Ａ３には、センサ装置１０で排泄時以外に検出される温度の小さな変動やセンサ装置１０の検出誤差を排除するために、所定温度幅よりも大きく温度が上昇および低下したことを条件とすることが好ましい。
【００４１】
さらに、判定部１１１は、紙おむつ２の交換時点（着用者が紙おむつ２を装着した時点〈着用時点〉）を判定してもよい。具体的には、湿度・温度の変動のうち低下に着目して設定された下記の条件Ｂ１またはＢ２が成立した場合に、紙おむつ２の交換時点であることを判定部１１１で判定することができる。
条件Ｂ１：湿度・温度の低下度合いが交換低下度合いよりも大きいこと
条件Ｂ２：湿度・温度が所定低下値を下回ること
【００４２】
上記の条件Ｂ１は、上述した条件Ａ１とは反対に、交換時の紙おむつ２において湿度や温度が急低下することから、湿度・温度が低下する度合いに着目して設定された条件である。この条件Ｂ１は、湿度・温度の単位時間あたりの負の変動量の絶対値が所定量よりも大きいことと言うこともできる。
また、上記の条件Ｂ２は、上述した条件Ａ２とは反対に、交換時の紙おむつ２において湿度や温度が低くなることから、湿度・温度の低下した値に着目して設定された条件である。
【００４３】
これらの条件Ｂ１およびＢ２の交換低下度合いや所定低下値も、判定閾値や判定値として予め実験的または経験的に設定される。
ただし、判定部１１１による交換時点の判定を省略し、着用者やその介護者によって手動で紙おむつ２の交換時点をコンピュータ１００に入力してもよい。
そのほか、上述した条件Ｂ１，Ｂ２を用いた判定や手動入力で得られた紙おむつ２の交換時点から排泄の有無を判定するなどの機能を判定部１１１にもたせてもよい。すなわち、紙おむつ２の交換時点をゼロ点（基準）としたうえで、判定部１１１に各種の判定を実施させてもよい。
【００４４】
〈タイマ〉
タイマ１１２は、判定部１１１で判定された排泄時点からの経過時間ｔを計測する。すなわち、タイマ１１２は、条件Ａ１またはＡ２が成立したときに始動する。なお、タイマ１１２は、条件Ｂ１またはＢ２が成立したときや紙おむつ２の交換時点が入力されたときに停止（リセット）される。
【００４５】
〈類別部〉
類別部１１３は、判定部１１１で判定された排泄時点からの湿度・温度の低下度合いに基づいて、着用者からの排泄物の種類を類別する。
この類別部１１３は、尿便や経血といった流動体の排泄物（流動排泄物）と糞便やおりものといった固形の排泄物（固形排泄物）とを類別する。排泄物は、下記の条件Ｃ１が成立した場合に流動体と類別され、条件Ｃ１が成立しない場合に固形と類別される。
条件Ｃ１：排泄時点からの湿度・温度の低下度合いが類別低下度合い（第一所定低下
度合い）よりも大きいこと
【００４６】
上記の条件Ｃ１は、流動体の排泄物のほうが固形の排泄物よりも熱容量が概ね小さいことや、流動体の排泄物は拡散して温度低下しやすいのに対して固形の排泄物は拡散しにくく温度低下しにくいことに着目して設定された条件である。
そのため、条件Ｃ１の「類別低下度合い」は、判定閾値として、流動体の排泄物が排泄されたときの湿度・温度の低下度合いよりも小さく、かつ、固形の排泄物が排泄されたときの湿度・温度の低下度合いよりも大きく設定される。なお、「類別低下度合い」は、上述した条件Ｂ１に関する「交換低下度合い」よりも小さい度合いとして、予め実験的または経験的に設定される。
【００４７】
さらに、類別部１１３は、下記の条件Ｃ２の成否によって、流動体の排泄物を尿便（第二流動排泄物）と水様便（第一流動排泄物）とに細別してもよい。具体的には、下記の条件Ｃ２が成立した場合に流動体の排泄物が尿便に細別され、下記の条件Ｃ２が成立しない場合に流動体の排泄物が水様便と細別される。
条件Ｃ２：排泄時点からの湿度・温度の低下度合いが細別低下度合い（第二所定低下
度合い）よりも大きいこと
上記の条件Ｃ２は、流動体の排泄物のなかでも、水様便よりも尿便のほうが拡散して温度しやすいこと（性状によって湿度・温度の挙動が異なること）に着目して設定された条件である。なお、「細別所定度合い」は上記した「類別所定度合い」よりも大きく設定される。
【００４８】
そのほか、排泄時点の判定に上記の条件Ａ３が含まれていなければ、判定部１１１で判定された排泄時点からの湿度・温度の上昇度合いに基づいて、着用者からの排泄物の種類を類別することもできる。この場合には、上記した排泄物の類別や細別の条件Ｃ１〜Ｃ３に用いる種々の「低下度合い」を「上昇度合い」と読み替えることで、さまざまな種類の排泄物を類別あるいは細別することができる。
なお、上記の条件における「排泄上昇度合い」，「所定上昇値」，「交換低下度合い」，「所定低下値」，「類別低下度合い」は、湿度・温度のそれぞれに設定される。
【００４９】
〈排泄情報の演算〉
演算部１１０は、上述した判定部１１１，タイマ１１２，類別部１１３の演算結果を用いて排泄情報を演算する。
この排泄情報としては、排泄の有無，排泄時点，排泄物の種類，着用者の不快度などが挙げられる。排泄の有無や排泄時点は、判定部１１１での判定結果から得られ、排泄物の種類は、類別部１１３での類別結果から得られる。さらに、着用者の不快度は、下記の表１に示すように、判定部１１１における排泄時点の判定結果の有無，タイマ１１２で計測された経過時間ｔ，類別部１１３で類別された排泄物の種類に基づいて演算される。
【００５０】
【表１】
2018023778.tif 000003
【００５１】
以下、着用者の不快度について、上記の表１を参照して、四つの演算手法を例示する。
ここでは、着用者の不快度を「○」，「△」，「×」の順に不快な度合いが強くなる三段階に評価している。「○」は快適であり、「△」はやや不快であり、「×」はとても不快である不快度を示す。そのため、不快な状態は、「△」および「×」の二段階に評価される。
【００５２】
第一の演算手法は、紙おむつ２に排泄物が排泄されていない状態では、着用者の快適性が保たれるとの知見に基づいて設定されている。そのため、第一の演算手法では、判定部１１１での排泄時点の判定がされていない場合に、不快度を「○」と演算する。
一方、第二〜第四の演算手法は、紙おむつ２に排泄物が排泄された状態では、着用者の快適性が損なわれるとの知見に基づいて設定されている。これらの第二〜第四の演算手法は、判定部１１１での排泄時点の判定がされた場合に実施される。
【００５３】
第二〜第四の演算手法のうち、第二および第三の演算手法では流動体の排泄物に起因する不快度を演算し、第四の演算手法では固形の排泄物に起因する不快度を演算する。そのため、類別部１１３で類別された排泄物の種類が流動体であるときに第二および第三の演算手法が実施され、類別部１１３で類別された排泄物の種類が固形であるときに第四の演算手法が実施される。
【００５４】
第二の演算手法は、流動体の排泄物が排泄されて所定時間ｔＰが経過するまでの間には、排泄物の放熱にともなう温度低下が進行しておらず、着用者の快適性の低下も大幅には進行していないとの知見に基づいて設定されている。これに対し、第三の演算手法は、流動体の排泄物が排泄されて所定時間ｔＰが経過した後には、排泄物の放熱にともなう温度低下が進行し、着用者の快適性の低下も進行したとの知見に基づいて設定されている。
【００５５】
そのため、経過時間ｔの長短に着目し、第二の演算手法では経過時間ｔが所定時間ｔＰ未満であれば不快度を「△」と演算し、第三の演算手法では経過時間ｔが所定時間ｔＰ以上であれば不快度を「×」と演算する。
なお、ここでいう「所定時間ｔＰ」は、排泄後に紙おむつ２の温度が着用者の快適度を損なう温度を下回るのに要する時間として予め実験的または経験的に設定される。たとえば、排泄後における紙おむつ２の温度が排泄前に保持される温度に低下するまでの時間が「所定時間ｔＰ」に設定される。
【００５６】
第四の演算手法は、固形の排泄物が排泄されると、排泄時点からの経過時間ｔにかかわらず、着用者の快適性が損なわれるとの知見に基づいて設定されている。詳細に言えば、固形の排泄物が排泄された場合には、流動耐の排泄物が排泄された場合に比べて温度低下しにくいことから、温度低下による快適性の低下は抑えられる。しかしながら、固形の排泄物は、吸収体２ａに吸収されずに紙おむつ２と着用者との間に介在しつづけることから、着用者の快適性を低下させるとの知見に基づいて第四の演算手法が設定される。そのため、第四の演算手法では、類別部１１３で類別された排泄物の種類が固形であるときに、不快度を「×」と演算する。
【００５７】
そのほか、演算部１１０は、排泄時点からの湿度・温度の変動量に基づいて、排泄情報を演算してもよい。たとえば、センサ装置１０で検出された温度が排泄時点以降に所定温度幅（所定量）よりも大きく低下したときに、不快度を「×」としてもよい。
上述したような演算処理を上記のプログラム１２６によりコンピュータ１００が実行する。
【００５８】
［３−２−２．報知部］
報知部１３０は、着用者またはこの着用者を介護する介護者に排泄情報を報知するデバイスである。
この報知部１３０としては、視覚的に表示（報知）するディスプレイやライトなどの表示部，視覚的に報知するスピーカやブザーなどの発音器，触覚的に報知するバイブレータ（振動器）といったデバイスが挙げられる。
上記の報知部１３０で報知される介護者としては、成人や幼児などの着用者を介護または育児する介護士やヘルパー，親族などが挙げられる。
【００５９】
そのほか、報知部１３０での報知態様を上述したコンピュータ１００で制御してもよい。たとえば、排泄物の有無や排泄時点，排泄物の種類，着用者の不快度などに応じて、報知する表示内容，音種，振動パターンなどをコンピュータ１００で制御してもよい。
報知部１３０がディスプレイである場合には、各種の排泄情報の一覧表示やその表示順，各種の排泄情報のうちの一部の表示といった態様をコンピュータ１００で制御してもよい。更に言えば、複数の着用者に装着される紙おむつ２のそれぞれにセンサ装置１０が取り付けられる場合に、各センサ装置１０に紐付けられた着用者と上述した各種の排泄情報との一覧表示や、この一覧表示で経過時間ｔの長短や不快度の度合いなどに応じた各排泄情報の昇順または降順の表示（ソート表示）といった態様をコンピュータ１００で制御してもよい。このような表示態様の制御処理は、上記のプログラム１２６によりコンピュータ１００で実行される。
【００６０】
［４．報知方法］
つぎに、図６のフローチャートを参照して、報知方法を説明する。この報知方法は、上述した報知システム１によって報知する方法である。
この報知方法では、センサ装置１０で湿度・温度を検出する検出工程（ステップＡ１０），この検出工程で検出された湿度・温度の変動に基づいて排泄情報を演算する演算工程（ステップＡ２０），この演算工程で演算された排泄情報を着用者または介護者に報知する報知工程（ステップＡ３０）の順に各工程が実施される。
【００６１】
つづいて、図７を参照し、演算工程を詳述する。
なお、図７で用いるフラグＦ1，Ｆ2，Ｆ21およびＦ22ならびに経過時間ｔは、初期値が「０」に設定される。
フラグＦ1は、排泄時点の判定の有無を示す排泄フラグである。この排泄フラグＦ1は、排泄時点が判定されていなければ「０」に設定され、排泄時点が判定されると「１」に設定される。
【００６２】
フラグＦ2，Ｆ21，Ｆ22は、着用者に不快度に関する不快度フラグである。これらの不快度フラグＦ2，Ｆ21，Ｆ22は、不快度が「○」のときに「０」に設定され、不快度が「△」のときに「１」に設定され、不快度が「×」のときに「２」に設定される。詳細に言えば、フラグＦ21は、流動体の排泄物に関する第一不快度フラグである。フラグＦ22は、固形の排泄物に関する第二不快度フラグである。これらのフラグＦ21，Ｆ22の論理和が不快度フラグＦ2として設定される。
【００６３】
演算工程では、はじめに判定工程（ステップＡ２１）が実施される。この判定工程では、フラグＦ1が「１」であるか否かが判定される。すなわち、判定部１１１によって排泄時点の判定がされたか否かが判定される。
この判定工程で排泄時点の判定が有ると判定（Ｆ1＝１）されると、計測工程（ステップＡ２２）に移行する。一方、判定工程で排泄時点の判定が無いと判定（Ｆ1＝０）されると、不快度フラグＦ2を「０」に設定する（ステップＡ２９）。
【００６４】
計測工程では、経過時間ｔの計測を開始する。
その後、条件Ｃ１が成立したか否かが判定される（ステップＡ２３）。すなわち、類別部１１３によって排泄物の種類が類別される類別工程が実施される。
この類別工程で排泄物の種類が流動体に類別されると、経過時間ｔが所定時間ｔＰよりも短いか否かが判定される（ステップＡ２４）。一方、類別工程で排泄物の種類が固形に類別されると、経過時間ｔにかかわらず、第二不快度フラグＦ22を「２」に設定する（ステップＡ２７）。
【００６５】
経過時間ｔが所定時間ｔＰを超えていなければ、第一不快度フラグＦ21を「１」に設定し（ステップＡ２５）、経過時間ｔが所定時間ｔＰ以上であれば、第一不快度フラグＦ21を「２」に設定する（ステップＡ２６）。
それから、類別工程を経た後に設定された二つのフラグＦ21，Ｆ22の論理和を不快度フラグＦ2に設定する（ステップＡ２８）。
なお、不快度フラグＦ2の設定後に、たとえば条件Ａ３が成立したり紙おむつ２の交換時点が入力されて紙おむつ２が交換されると、フラグＦ1，Ｆ2，Ｆ21およびＦ22ならびに経過時間ｔは、「０」に設定（リセット）される。
そして、上述した報知工程に移行（リターン）する。
【００６６】
［５．タイムチャート］
つぎに、図８のタイムチャートを参照し、報知システム１および報知方法の一例を説明する。ここで説明するタイムチャートでは、時点ｔ1で装着されていた紙おむつ２を新たな紙おむつ２に交換している。そのため、時点ｔ1までは、交換前の紙おむつ２に関する湿度ｈ・温度ＴやフラグＦを示す。一方、時点ｔ1以降は、交換後の紙おむつ２に関する湿度ｈ・温度ＴやフラグＦを示す。なお、時点ｔ1までは排泄物が排泄されることがないものとする。
紙おむつ２を交換するまでの時点ｔ0以前は、図８（ａ）および（ｂ）に示すように、着用者の発汗や体温によって紙おむつ２の湿度ｈおよび温度Ｔが平衡状態となり、一定値あるいはほぼ一定値に保持される。
【００６７】
それから、紙おむつ２を交換する際の時点ｔ0〜ｔ1では、湿気ｈが放散するとともに温度Ｔが放熱して、湿度ｈおよび温度Ｔが急低下する。このときの湿度ｈおよび温度Ｔは、交換低下度合いよりも大きい度合いで低下し、所定低下値ｈPLおよびＴPLを下回る。
紙おむつ２の交換直後の時点ｔ1〜ｔ2では、着用者の発汗や体温によって、湿度ｈおよび温度Ｔが緩やかに上昇する。その後の時点ｔ2〜ｔ3では、時点ｔ0以前と同様に、湿度ｈおよび温度Ｔが一定値あるいはほぼ一定値に保持される。
【００６８】
そして、紙おむつ２に排泄物が排泄される際の時点ｔ3〜ｔ4では、排泄物の湿気や熱によって湿度ｈおよび温度Ｔが急上昇する。このときの湿度ｈおよび温度Ｔは、排泄上昇度合いよりも大きい度合いで上昇し、所定上昇値ｈPHおよびＴPHを上回る。このとき、図８（ｃ）に示すように、排泄フラグＦ1が「０」から「１」に設定される。また、図８（ｄ）および（ｆ）に示すように不快度フラグＦ2，Ｆ21が「０」から「１」に設定される。
紙おむつ２に排泄物が排泄された後の時点ｔ4以降では、排泄物の放熱によって温度Ｔが緩やかに低下する。図８（ｂ）に実線で示すように、流動体の排泄物が排泄された場合には、時点ｔ4以降における温度Ｔが低下しやすい。
【００６９】
これに対して、図８（ｂ）に二点鎖線で示すように、固形の排泄物が排泄された場合には、時点ｔ4以降における温度Ｔが低下しにくい。たとえば、時点ｔ4後の時点ｔ5において、温度Ｔの低下度合いが類別低下度合いよりも小さいこと（条件Ｃ１の不成立）が判定されると、排泄物の種類が固形と類別される。このときには、図８（ｅ）に示すように、第二不快度フラグＦ22が「０」から「２」に設定される。よって、図８（ｆ）に二点鎖線で示すように、不快度フラグＦ2も「２」に設定される。
時点ｔ5後の時点ｔ6では、排泄時点から所定時間ｔＰが経過し、排泄前に保持される温度を温度Ｔが下回る。このとき、図８（ｄ）および（ｆ）に実線で示すように、不快度フラグＦ2，Ｆ21が「１」から「２」に設定される。
【００７０】
［６．作用および効果］
上述したように本実施形態が構成されるため、以下のような作用および効果を得ること
ができる。
［６−１．報知システム］
まず、報知システム１に関してする作用および効果を述べる。
（１）本実施形態の報知システム１によれば、センサ装置１０で検出された湿度・温度の変動に応じて、適切な排泄情報を演算部１１０で演算して報知部１３０で報知することができる。
【００７１】
たとえば、排泄の有無を認識することのできない着用者に排泄が有ったことを報知することができる。
また、排泄の有無や排泄時点，着用者の不快度などの排泄情報を介護者に報知することができる。たとえば、センサ装置１０の取り付けられた紙おむつ２を装着した着用者とは離隔して報知部１３０が設けられていれば、着用者の傍にいない介護者に排泄情報を報知することができる。
【００７２】
さらに、複数の着用者が装着する紙おむつ２のそれぞれにセンサ装置１０が取り付けられていれば、介護施設や病院で報知システム１を活用することもできる。この場合には、各着用者の不快度の上昇を抑えつつ介護者の介護作業を効率化させることができる。具体的に言えば、排泄の無い着用者や不快度の低い着用者に優先して、排泄の有った着用者や不快度の高い着用者の紙おむつ２を交換することができる。
【００７３】
（２）演算部１１０では排泄時点が判定部１１１で判定されるため、排泄時点の情報や排泄時点に基づいた情報を排泄情報として演算することができる。
（３）また、演算部１１０では判定部１１１で判定された排泄時点からの経過時間ｔがタイマ１１２で計測され、この経過時間ｔに基づいて着用者の不快度が演算されるため、排泄時点から経過時間ｔに応じて着用者の不快度を精度よく演算することができる。
【００７４】
（４）そのほか、排泄時点からの湿度・温度の変動量に基づいて排泄情報が演算されることによっても、着用者の不快度を精度よく演算することができる。
（５）また、演算部１１０では類別部１１３で排泄物の種類が類別されるため、排泄物の種類に応じて着用者の不快度を適切に演算することができる。
【００７５】
以下、類別部１１３による排泄物の類別あるいは細別について述べる。
類別部１１３は、湿度・温度の低下度合いの大小に基づいて、排泄物の種類を流動体の排泄物や固定の排泄物に類別することができる。さらに、湿度・温度の低下度合いが大きいもののなかで大小を仔細に場合分けすることで、流動体の排泄物を尿便と水様便とに細別することもできる。
【００７６】
具体的には、湿度・温度の低下度合いが類別判定度合よりも大きい場合には、排泄物の性状に即してその種類を流動体の排泄物と適切に類別することができる。また、湿度・温度の低下度合いが類別判定度合よりも小さい場合には、排泄物の性状に即してその種類を固形の排泄物と適切に類別することができる。
そのうえ、湿度・温度の低下度合いが細別低下度合いよりも大きい場合には、流動体の排泄物の性状に即してその種類を尿便と適切に細別することができる。また、湿度・温度の低下度合いが細別低下度合いよりも小さい場合には、流動体の排泄物の性状に即してその種類を水様便と適切に細別することができる。
【００７７】
類別部１１３は、臭いや圧力といったパラメータを用いることなく、湿度・温度だけの簡素なパラメータで排泄物の類別や細別を実施することができる。このように類別アルゴリズムや細別アルゴリズムに用いるパラメータを絞り込むことで、演算部１１０の演算負荷や処理負荷を抑えることもできる。
（６）なお、本実施形態の報知方法，プログラム１２６およびこのプログラム１２６が記録された記録媒体１２７によれば、報知システム１と同様の作用および効果を得ることができる。
【００７８】
［６−２．センサ装置］
つぎに、センサ装置１０に関する作用および効果を述べる。
（１）本実施形態のセンサ装置１０によれば、紙おむつ２に装置本体部１１を取り付ける取付部１２の通気領域ＲVが紙おむつ２の通気性よりもが高い。そのため、センサ装置１０の取り付けられた紙おむつ２の通気性が低下することを抑えることができ、着用者の快適性を確保することができる。
【００７９】
（２）取付部１２の通気領域ＲVには、装置本体部１１に対して平面視で取付部１２が重複しない領域が含まれるので、装置本体部１１によって通気性が妨げられない領域で確実に通気性を確保することができる。
（３）全領域が通気領域ＲVの取付部１２では、通気層１２ａおよび付着層１２ｂが積層されるため、通気層１２ａでの通気性の確保と付着層１２ｂでの紙おむつ２への付着とを両立させることができる。
（４）また、通気領域ＲVの通気抵抗が１．００［ｋＰａ・ｓ／ｍ］以下であるので、確実に通気性が確保される。
【００８０】
（５）そのほか、取付部１２が撥水性を有するため、たとえば装置本体部１１の検出部１１ａの水没が抑えられ、湿度・温度の検出精度を確保することに寄与する。
（６）さらに、静電容量型の検出部１１ａが用いられているため、排泄物や着用者に非接触で湿度・温度を検出することができる。そのため、紙おむつ２の外側にセンサ装置１０を取り付けることができる。
さらに、取り付けられたセンサ装置１０を取り外して何度も使用することが可能となる。また、着用者の肌に触れずに雰囲気情報を検出することができるため、着用者の皮膚トラブルを抑制することができる。
【００８１】
そのほか、センサ装置１０の取り付けられた紙おむつ２を廃棄する際に、紙おむつ２からセンサ装置１０を容易に取り外すことができるため、たとえば吸収体にセンサ部が内蔵された従来のセンサ付き紙おむつに比較して、紙おむつ２の廃棄作業効率を向上させることができる。使用済みの紙おむつ２の再資源化という観点からも、センサ装置１０を取り外せることは非常に有用である。延いては、紙おむつ２の燃料化（ＲＦＰ化）などに寄与する。あるいは、紙おむつ２から取り外されたセンサ装置１０を再び使用しないで廃棄する際には、センサ装置１０の金属部分を分別して、再資源化することもできる。
【００８２】
［ＩＩ．実施例］
以下、第一実施形態に関する実施例を述べる。
なお、下記の実施例に示す材料，使用量，処理内容，処理手順などは、本件の趣旨を逸脱しない限り適宜変更することができる。したがって、本件の範囲は以下に示す具体例により限定的に解釈されるべきものではない。
【００８３】
［実施例１］
実施例１では、ＰＥＴ（Polyethylene terephthalate）を材料とする坪量が３０ｇ／ｍ２のスパンボンド不織布（東洋紡績株式会社製  商品名：エクーレ３３０１Ａ）に対し酢酸エチルに希釈したアクリル系接着剤（コスメディ製薬社製  製品名「ＨｉＰＡＳ１０」  ）を厚み２０μｍとなるように塗工し、剥離紙を貼合した後に、８０℃で１０分間乾燥させて１週間２５℃で保存処理（キュア）し、硬化させた後、孔開け処理を施して取付部Ａを得た。
この取付部Ａを用いてパッドＩ（王子ネピア製  エクストラ８００ＳＰ，バックシートが不織布の吸収体）にセンサ装置を取り付け、ホルダーパンツで吸収体Ｉを保持したおむつを着用者に装着し、官能評価を実施した。また、取付部ＡおよびパッドＩの各通気抵抗を測定した。さらに、センサ装置の検出性を評価した。
【００８４】
〈通気抵抗〉
カトーテック製ＡＵＴＯＭＡＴＩＣ  ＡＩＲ−ＰＥＲＭＥＡＢＩＬＩＴＹ  ＴＥＳＴＥＲ  ＫＥＳ−Ｆ８−ＡＰ１（通気性試験機）により通気抵抗（ｋＰa・ｓ／ｍ）を測定した。
〈官能評価〉
官能評価では、取付部Ａでセンサ装置が取り付けられたおむつを着用してムレ性を評価した。「ムレ性」とは、おむつ内部の蒸れによる不快度合いに対応する。ここでは、下記に示す三段階の基準で官能評価を実施した。
◎：センサ装置が取り付けられていない場合と同等のレベル
○：センサ装置が取り付けられていない場合と比較してムレ感が若干高いものの、実
使用上は問題の無いレベル
×：ムレ感が極めて高く、実使用上問題となるレベル
〈検出性〉
検出性では、センサ装置による温度・湿度の検出性を評価した。ここでは、下記に示す二段階の基準で検出性の評価を実施した。
○：温度・湿度を問題なく検出した
×：温度・湿度を誤って検出した
【００８５】
［実施例２］
実施例２は、実施例１で用いるスパンボンド不織布に替えてエアレイド不織布（王子キノクロス社製  商品名：キノクロス）を用いたこと以外は上記の実施例１と同様にして取付部Ｂを得た。この実施例２では、上記のパッドＩに替えてパッドＩＩ（王子ネピア製  ウルトラ５００  バックシートがフィルムの吸収体）を使用した。そして、実施例１と同様に、官能評価を実施し、取付部ＢおよびパッドＩＩの各通気抵抗を測定した。
【００８６】
［評価結果］
実施例１および２について、下記の表２に示す評価結果を得た。
【００８７】
【表２】
2018023778.tif 000004
【００８８】
上記の表２より、実施例１および２の双方において、取付部Ａ，Ｂは、吸収体Ｉ，ＩＩよりも通気抵抗が低く、着用者の官能評価も良好であることがわかる。
さらに、センサ装置の検出性も確保されていることわかる。
【００８９】
［ＩＩＩ．第二実施形態］
つぎに、第二実施形態のセンサ装置およびこのセンサ装置が取り付けられた吸収性物品用ならびに報知システムについて説明する。
第二実施形態のセンサ装置は、第一実施形態とは取り付けられる箇所が異なる。また、第二実施形態の報知システムは、センサ装置とコンピュータとの間に中継部が介在する情報処理システムを利用する点が第一実施形態と異なる。ここで説明する点を除いては、第一実施形態と同様の構成となっている。これらの構成については、各部の説明を省略する。
以下、センサ装置，吸収性物品，情報処理システムの順に各構成を説明する。
【００９０】
［１．センサ装置］
図１０に示すように、本実施形態のセンサ装置７が取り付けられる吸収性物品４には、紙おむつ５（外装体）に加えて吸水性の尿パッド６（内装体）が設けられている。この紙おむつ５は、装着者に対して尿パッド６を固定する装着具とも言える。
吸収性物品４では、紙おむつ５に対して肌面側であって尿パッド６の非肌面側にセンサ装置７が配置される。このように紙おむつ５と尿パッド６との間にセンサ装置７が配置された吸収性物品４を「センサ付き吸収性物品４７」と呼ぶ。
【００９１】
センサ装置７には、湿度・温度を検出する検出部７１が内蔵され、一部が露出した状態の検出部７１がハウジング７２の内部に配置されている。ここで説明する検出部７１は、湿度・温度のみを検出する。
ハウジング７２には、ストラップ８の一端（一部）が結合（接続）される結合部７３が形成されている。図１０には取手状の結合部７３を例示するが、ストラップ８を容易に結び付けることのできる種々の形態を結合部７３に採用することができる。たとえば、ストラップホールを結合部７３に用いることができる。
なお、本実施形態のセンサ装置７は、後述するように湿度・温度のみで排泄の有無を検知することができ、湿度・温度のみで排泄物を類別することができる。このように湿度・温度のみを用いることで、センサ装置７を小型化することができ、プログラムを簡素化することができる。そのため、センサ装置７の耐久性が向上し、プログラムの可用性（信頼性）を高めることができる。ただし、センサ装置７の検出対象には、湿度・温度に限らず、臭いや特定物質の有無といった他の対象が含まれてもよい。
【００９２】
さらに、センサ装置７には、吸収性物品４への取付用として、紙おむつ５における非肌面側の外表面に着脱可能な面ファスナー７９（接続部）が貼着されている。すなわち、センサ装置７は、非肌面側の面ファスナー７９で吸収性物品４に取り付けられる。なお、面ファスナー７９で取り付けられたセンサ装置７は、非肌面側の紙おむつ５に対して固定されるだけで、肌面側の尿パッド６に対しては固定されていない。
紙おむつ５に固定されたセンサ装置７の肌面側には、一部が露出した検出部７１が尿パッド６に対して直接的に対向して配置される。
【００９３】
なお、センサ装置に貼着される面ファスナーは、ハウジングの外表面において一部に限らず、全部の外表面に設けられてもよい。さらに言えば、センサ装置のハウジングが面ファスナーで構成されていてもよい。また、面ファスナーの着脱先は、紙おむつに限らず、尿パッドであってもよい。
あるいは、センサ装置７のハウジングと紙おむつ５とを接続するためには、面ファスナー７９に替えてまたは加えて、別体のテープ（接続部）を用いてもよい。この場合には、検出部７１の検出精度を確保する観点から、検出部７１が露出した状態でテープをセンサ装置７や紙おむつ５に貼り付けることが好ましい。そのため、穴（開口部）の設けられたテープを用いれば、検出部７１と穴の位置とを重ね合わせつつテープを貼り付けることで、検出部７１の検出精度を確保しつつ紙おむつ５に対してセンサ装置７を確実に貼り付けることができる。
【００９４】
そのほか、センサ装置７には、取付姿勢で肌面側を向いて配置された電源ボタン７４や、センサ装置７の作動状態を示すインジケータ７５（ここでは電源ボタン７４の左右に二つ）が設けられる。
電源ボタン７４を押圧操作することで、センサ装置７がＯＮ状態となり、湿度・温度を所定の周期で検出され、検出された湿度・温度の情報が後述する中継機９０に向けて所定の周期で送信される。また、インジケータ７５は、センサ装置７の作動状態に応じて表示色や点滅パターンを変化させる。
【００９５】
［２．吸収性物品］
つぎに、吸収性物品４について、センサ装置７を取り付けるための構成を説明する。
紙おむつ５には、センサ装置７を所定の位置に案内する案内部５１が設けられている。ここでいう「所定の位置」とは、センサ装置７の検出精度を確保する観点や紙おむつ５の着用者に対する違和感を抑える観点などに基づいて設定される、紙おむつ５に対するセンサ装置７の適正位置である。たとえば、紙おむつ５の股下部５Ｂにおいてやや前身頃５Ａ側に「所定の位置」が設定される。
【００９６】
案内部５１は、紙おむつ５の非肌面側に表示された絵柄として構成される。たとえば、センサ装置７の輪郭線や矢印，十字形の印（いわゆる「トンボ」）といった種々の絵柄を案内部５１に用いることができる。
ただし、案内部５０は絵柄に限らず、センサ装置７に対応する大きさの凹部や折線といった案内構造を案内部５１に採用してもよい。
【００９７】
また、紙おむつ５には、ストラップ８の他端（他部）が結合される第二結合部５２が設けられている。ここでは、第二結合部５２が紙おむつ５の前身頃５Ａに設けられている。
第二結合部５２には、センサ装置７の結合部７３と同様に、ストラップ８を容易に結合することのできる種々の形態を採用することができる。
【００９８】
また、第二結合部５２は、装着状態で外観可能な箇所に配置されている。すなわち、第二結合部５２は、紙おむつ５の外面に設けられ、外部から視認しやすい箇所に設けられている。そのため、ストラップ８は、吸収性物品４の内部で結合部７３に一端が結合され、吸収性物品４の外部で第二結合部５２に他端が結合される。言い換えれば、紙おむつ１の外部まで延在するストラップ８がハウジング７２に接続されている。
これらの結合部７３，５２に結合されるストラップ８の寸法は、装着状態の紙おむつ５および尿パッド６の形状に沿って、センサ装置７の結合部７３と第二結合部５２とを結ぶ最短経路の寸法に応じた長さに設定されている。
【００９９】
［３．情報処理システム］
つぎに、報知システムが利用する情報処理システムを説明する。
図１１に示すように、情報処理システム３０では、クラウドコンピュータ１００′（コンピュータ）に対して複数の中継機９０（中継部）が接続され、中継機９０のそれぞれに複数のセンサ装置７が接続されている。
このようなツリー構造のネットワークトポロジーをなす情報処理システム３０を利用して、報知システム３が構築されている。報知システム３には、情報処理システム３０に加えて、クラウドコンピュータ１００′に接続された報知デバイス１３０′（報知部）が含まれる。
なお、図１１中では、各センサ装置７を区別して符号７Ａ〜７Ｇで示す。また、各中継機９０を区別する場合は、符号９１，９２を用いて説明する。
【０１００】
以下、情報処理システム３０のノード（センサ装置７，中継機９０，クラウドコンピュータ１００′）を説明する。ここでは、介護施設や病院といった複数の要介護者が滞在する施設に情報処理システム３０が適用された例を挙げる。
この情報処理システム３０では、複数の要介護者（着用者）にそれぞれセンサ付き吸収性物品４７が装着される。
【０１０１】
さらに、要介護者のグループが滞在しうる空間（互いに異なる地点）ごとに中継機９０が設置されている。たとえば、四人部屋の寝室Ｌ1（第一地点）に第一中継機９１が設置され、寝室Ｌ1に隣接する食堂Ｌ2（第二地点）に第二中継機９２が設置される。
図１１には、四つのセンサ付き吸収性物品４７Ａ，４７Ｂ，４７Ｃ，４７Ｄのそれぞれを装着する要介護者が寝室Ｌ1に滞在しており、三つのセンサ付き吸収性物品４７Ｅ，４７Ｆ，４７Ｇのそれぞれを装着する要介護者が食堂Ｌ2に滞在している状況を例示する。
【０１０２】
たとえば、寝室Ｌ1の第一要介護者に第一センサ付き吸収性物品４７Ａが装着されており、この吸収性物品４Ａに取り付けられた第一センサ装置７Ａは、吸収性物品４Ａの湿度・温度を検出し、この検出情報（雰囲気情報）を第一中継機９１に無線で送信する。
同様に、食堂Ｌ2の第五要介護者に第五センサ付き吸収性物品４７Ｅが装着されており、この吸収性物品４Ｅに取り付けられた第五センサ装置７Ｅは、吸収性物品４Ｅの湿度・温度を検出し、この検出情報を第二中継機９２に無線（たとえばｂｌｕｅｔｏｏｔｈ〈登録商標〉）で送信する。
【０１０３】
中継機９１，９２は、センサ装置７から送信された検出情報を表示する機能をもち、各要介護者に対応する検出情報の経時変化がそのまま表示する。
中継機９１，９２は、複数のセンサ装置７から送信された情報をクラウドコンピュータ１００′に無線（たとえば３Ｇ回線）または有線で送信する。このように、センサ装置７の検出情報は、中継機９１，９２を経由（中継）してクラウドコンピュータ１００′に伝達される。
【０１０４】
さらに、中継機９１，９２からクラウドコンピュータ１００′に送信される検出情報のそれぞれには、経由した中継機９１，９２（固有中継機）の識別情報が紐付けられる。たとえば、第三センサ装置７Ｃの検出情報は、第一中継機９１の識別情報とともにクラウドコンピュータ１００′に伝達される。
クラウドコンピュータ１００′には、第一実施形態で上述した機能を少なくとももつ演算部１１０′，判定部１１１′，タイマ１１２′，類別部１１３′，メモリ１２０′などが含まれる。
【０１０５】
この演算部１１０′は、伝達された検出情報に紐付けられた識別情報に基づいて、対応するセンサ装置７の取り付けられた吸収性物品４を着用する要介護者の位置を推定する。具体的には、センサ装置７の検出情報が経由した中継機９０の設置された地点またはその周辺に要介護者が位置すると推定される。
【０１０６】
逆に、所定のセンサ装置７の検出情報がクラウドコンピュータ１００′に伝達されていなければ、中継機９１，９２の設置された地点やその周辺に所定のセンサ装置７に対応する要介護者が位置していないと推定する。
詳細に言えば、クラウドコンピュータ１００′のメモリ１２０′に情報送信元のセンサ装置７を記憶し、メモリ１２０′に記憶されたセンサ装置７の検出情報が得られないときには、そのセンサ装置７に対応する要介護者が中継機９１，９２に対して検出情報を送信できる範囲内に存在しないと演算部１１０′が推定する。
【０１０７】
そのほか、クラウドコンピュータ１００′には、据え置き型やモバイル型のパーソナルコンピュータ１３０Ａ′（報知部）や、いわゆるタブレットやスマートフォンなどの多機能携帯端末１３０Ｂ′（報知部）などの報知デバイス１３０′が接続される。報知デバイス１３０′には、上述した要介護者の推定位置情報のほか、センサ装置７の検出情報に基づいて演算された排泄情報がクラウドコンピュータ１００′から伝達される。そして、報知デバイス１３０′をもつ介護者や親族などに排泄情報が報知される。
【０１０８】
［４．作用および効果］
上述したように本実施形態が構成されるため、以下のような作用および効果を得ること
ができる。
［４−１．センサ装置］
まず、センサ装置７に関する作用および効果を述べる。
（１）仮に、紙おむつの外表面（非肌面側の表面）にセンサ装置が取り付けられた場合には、紙おむつからセンサ装置が脱落しやすいものの、着用者に対するセンサ装置の違和感は抑えられる。一方、尿パッドの内表面（肌面側の表面）にセンサ装置が取り付けられた場合には、センサ装置が着用者に対して違和感を与えやすいものの、センサ装置の脱落は抑えられる。
これに対し、本実施形態のセンサ装置７は、紙おむつ５に対して肌面側に配置されるため、外部に露出せず、紙おむつ５からの脱落が抑えられる。また、センサ装置７は、尿パッド６の非肌面側に配置されるため、着用者に対して直接的に接触することがなく、着用者に対する違和感を抑えることができる。このように、紙おむつ５と尿パッド６との間に配置されたセンサ装置７によれば、吸収性物品４に対するセンサ装置７の確実な取り付けと着用者に対する違和感の抑制を両立することができる。
【０１０９】
（２）センサ装置７のハウジング７２に形成された結合部７３にストラップ８を結び付ければ、ストラップ８を引っ張ることでセンサ装置７を吸収性物品４から容易に取り外すことができる。このように、センサ装置７の取り外しにかかる作業負荷を低減させることができる。また、センサ装置７を直接触ることなく取り外すことができることから、仮にセンサ装置７が汚損したとしても、取り外し作業者の衛生を確保することができる。
【０１１０】
（３）さらに、紙おむつ５に対して面ファスナー７９でセンサ装置７が着脱されることから、センサ装置７を容易に着脱することができ、センサ装置７の着脱作業にかかる負荷を抑えることができる。
（４）検出部７１がハウジング７２から肌面側に露出した状態でセンサ装置７が紙おむつ５に取り付けられることから、検出部７１の検出精度を確保することができる。具体的には、検出部７１が尿パッド６に対して直接的に対向して配置されることで、尿パッド６に排泄された排泄物に起因する湿度・温度の変化を精度よく検出することができる。
【０１１１】
（５）センサ装置７を所定の位置に案内する案内部５１が紙おむつ５に設けられることから、紙おむつ５に対してセンサ装置７を容易に適切な位置に取り付けることができる。
（６）具体的には、案内部５１として表示された絵柄にセンサ装置７を合わせるだけで、センサ装置７を適切な位置に配置することができる。
なお、案内部５１に凹部や折線といった案内構造が採用されている場合には、この案内構造に合わせてセンサ装置７を配置するだけで、紙おむつ５に対して容易にセンサ装置７を適切な位置に取り付けることができる。
【０１１２】
（７）センサ装置７の結合部７３に結び付けられたストラップ８を紙おむつ５の第二結合部５２にも結び付ければ、センサ装置７の脱落を確実に抑えることができる。
（８）この第二結合部５２は、外観可能な箇所に配置されることから、センサ装置７の結合部７３に結び付けられたストラップ８が第二結合部５２に結び付けられている場合には、ストラップ８も外観可能となる。よって、センサ装置７の有無を外観から把握することができる。
【０１１３】
（９）さらに、結合部７３，５２に結合されるストラップ８の寸法は、装着状態の紙おむつ５および尿パッド６の形状に沿って、センサ装置７の結合部７３と第二結合部５２とを結ぶ最短経路の寸法に応じた長さに設定されることから、不適切な位置へのセンサ装置７の取り付けを規制することができる。この点からも、センサ装置７を適切な位置に取り付けることができる。
【０１１４】
［４−２．情報処理システム］
つぎに、情報処理システム３０に関する作用および効果を述べる。
（１）本実施形態の情報処理システム３０には、無線通信用の中継機９０をもつツリー型のネットワークトポロジーが採用されるため、センサ装置７に要求されるバッテリ性能や情報送信距離を抑えることができる。よって、センサ装置７の小型化や低コスト化が可能となる。これにより、センサ装置７の取り付けられた吸収性物品４を装着する着用者に対する違和感を抑えつつ、センサ装置７で検出された情報に基づいて着用者やその介護者に対する有用な情報を提供することができる。
【０１１５】
ところで、ツリー型のネットワークトポロジーは、本実施形態の情報処理システム３０に限らず、ＧＰＳ（Global Positioning System）端末やＰＨＳ（Personal Handy-phone System）端末といった携帯端末の通信にも用いられている。このような携帯端末に対して、本実施形態のセンサ装置７は、着用者に装着される紙おむつ５に取り付けられる。
そのため、携帯端末は、着用者によって意識的に携帯されるデバイスであるのに対し、センサ装置７は、着用者に意識されにくい状態で配置されたデバイスである。更に言えば、センサ装置７が取り付けられた紙おむつ５は、携帯端末の保持が体力的あるいは精神的に困難な着用者に対して装着される大人用や介護用のものである。
【０１１６】
仮に、紙おむつ５を装着した着用者に対して携帯端末を首から紐でぶら下げて保持させた際には、着用者の行動を阻害するおそれがあり、首にかけられた紐によって炎症を招くおそれがある。あるいは、着用者が携帯端末を放置あるいは破棄してしまうおそれがある。これに対して、センサ装置７は、紙おむつ５に内蔵されるため、上記した携帯端末による不具合を招くことがない。
【０１１７】
（２）さらに、情報処理システム３０の演算部１１０′において、センサ装置７の検出情報が経由した中継機９０の識別情報に基づく着用者の位置が推定される。そのため、別個にＧＰＳ装置やビーコン装置といった位置検出デバイスを取り付けることなく着用者の位置を推定することができる。
（３）具体的には、センサ装置７の検出情報が経由した中継機９０の接地された地点やその周辺にセンサ付き吸収性物品４７の着用者の位置を推定することができる。情報処理システム３０が介護施設や病院といった屋内に適用された場合には、ＧＰＳ装置では測位不能な着用者の位置を推定することも可能となる。
【０１１８】
（４）逆に、情報処理システム３０において所定のセンサ装置７の検出情報がクラウドコンピュータ１００′に伝達されていなければ、そのセンサ装置７が取り付けられた着用者が中継機９０と通信可能な範囲外に位置すると推定することもできる。これにより、着用者の徘徊あるいは失踪を初期段階で把握することもできる。
【０１１９】
［ＩＶ．変形例］
最後に、本実施形態のその他の変形例について述べる。
たとえば、センサ装置１０が取り付けられる紙おむつ２の内側に、交換可能な尿パッドが装着されてもよい。このような紙おむつ２では、センサ装置１０の検出精度を確保するために、尿パッドの外側に配置される紙おむつ２の肌面側に装置本体部１１が取付部１２で取り付けられる。この場合には、装置本体部１１で肌面側に検出部１１ａが配置され、この検出部１１ａが取付部１２で被覆されるおそれがある。
このように用いられるセンサ装置１０では、取付部１２のうち検出部１１ａを肌面側から被覆する領域を通気領域ＲVに含ませることで、検出部１１ａでの検出精度を確保することができる。
【０１２０】
また、図９に示すように、通気層１２ａ′の一部に付着層１２ｂ′が積層された取付部１１′を用いていてもよい。図９では、長手方向に沿って延びる複数の付着層１２ｂ′が幅方向に並んで設けられ、付着層１２ｂ′のそれぞれが通気層１２ａ′に積層されたものを例示する。ただし、格子状やドット状といった種々のパターンで付着層１２ｂ′が設けられてもよい。
通気層１２ａ′の一部に付着層１２ｂ′が積層された取付部１１′によれば、通気層１２ａ′の他部で通気性を向上させることができ、着用者の快適性の低下を確実に抑えることができる。また、付着層１２ｂ′の材料を低減させることができ、材料コストの低減や軽量化に寄与する。
【０１２１】
さらに、取付部１１′に通気孔１３′が設けられていてもよい。図９では、通気層１２ａ′の他部（付着層１２ｂ′が積層されていない領域）に穿設された通気孔１３′を例示する。ただし、通気層１２ａ′および付着層１２ｂ′の二層を貫通する通気孔を穿設してもよい。
通気孔１３′によれば、取付部１１′の通気性を確実に向上させ、着用者の快適性の低下をいっそう抑えることができ、軽量化にも寄与する。
【０１２２】
そのほか、センサ装置７，１０は、一つの紙おむつ２に対して複数のセンサ装置７，１０が取り付けられてもよい。この場合には、吸収体２ａと平面視で重複する複数の箇所に各センサ装置７，１０が取り付けられることが好ましい。
このように複数のセンサ装置７，１０が取り付けられることで、紙おむつ２において排泄物が排泄された領域を検出することもできる。さらに、演算部１１０，１１０′は、排泄物の排泄領域に応じて排泄物の種類を類別してもよい。たとえば、後身頃２Ｃに排泄物が排泄されたときには排泄物を固形に類別し、前身頃２Ａに排泄物が排泄されたときには排泄物を流動体に類別することができる。そのほか、排泄領域から濡れ部分の面積を推定することで、排泄された排泄物の量や吸収された排泄物の量、漏れの有無などを判別することができる。それにより、着用者にとって最適なおむつやパッドを効率的に選定することが可能となる。
【０１２３】
なお、センサ装置７，１０の検出対象である雰囲気情報は、上述したように湿度・温度に限らず、排泄物の臭いや色といった電気的特性の変化によって検出される種々の情報であってもよい。これらの検出対象のうちの少なくとも一種だけを雰囲気情報としてセンサ装置１０が検出してもよい。これらの場合には、センサ装置７，１０で検出された種々の情報やこの情報に基づいて演算された排泄情報を着用者やその介護者に報知することができる。
【０１２４】
さらに、演算部１１０，１１０′は、排泄情報として排泄タイミングを演算してもよい。具体的に言えば、演算部１１０，１１０′は、一人の着用者または複数人の着用者のそれぞれに対して排泄時点の情報を蓄積し、蓄積された排泄時点の情報に基づいて着用者ごとの排泄タイミングを予測してもよい。たとえば、三十分ごとや一時間ごと区切られた時間帯別に排泄の有った回数の情報が蓄積され、この回数の多い時間帯が排泄タイミング（排泄予測時間）として演算される。
そのうえ、排泄時点からの経過時間や排泄頻度，着用者ごとに予測された排泄タイミングを報知部１３０に表示してもよい。このように、排泄予測時間やこの予測材料となりうる排泄頻度や経過時間などを介護者に報知することで、各着用者に対するトイレへの誘導や紙おむつ２の交換のタイミングや順番を最適化することもできる。
【０１２５】
一方、排泄情報から快適度を省略してもよく、類別部１１３，１１３′によって類別された排泄物の種類を排泄情報に含ませてもよい。
さらに、排泄物の種類を類別する手法としては、雰囲気情報の変動を用いた種々のアルゴリズムを採用することができ、雰囲気情報の大きさ（値）だけに着目するアルゴリズムを採用することもできる。以下、前者の類別手法を第一変形例として挙げ、後者の類別手法を第二変形例として挙げる。
【０１２６】
――第一変形例――
第一変形例では、センサ装置７，１０によって検出された温度が所定期間内に所定範囲を越えて上昇することが満たされることを前提とし、センサ装置７，１０で検出された湿度（以下「検出湿度」と略称する）の上昇度合いによって排泄物の種類を類別する。
ここでいう「所定期間」の一例としては、着用者の排泄に要する時間の長さとして予め設定された期間が挙げられる。また、「所定範囲」の一例としては、排泄物の種類によらず、着用者の排泄時において温度が上昇する量の下限として予め設定された範囲が挙げられる。さらに、排泄開始から排泄物の種類が類別されるまでの期間を短縮する観点からは、「所定期間」が短いほど好ましく、「所定範囲」が小さいほど好ましい。また、排泄物の種類を精度よく類別する観点からは、「所定期間」が長いほど好ましく、「所定範囲」が大きいほど好ましい。
【０１２７】
たとえば、所定期間内におけるパターン１Ａ〜３Ａのそれぞれに応じて排泄物の種類が類別される。なお、下記の「第一範囲」および「第二範囲」は、「第一範囲」よりも「第二範囲」のほうが大きい。
・パターン１Ａ：検出湿度が第一範囲内で上昇する
・パターン２Ａ：検出湿度が第一範囲を超えて第二範囲内で上昇する
・パターン３Ａ：検出湿度が第二範囲を超えて上昇する
【０１２８】
上記したパターン１Ａの場合には、排泄物の種類が固形の排泄物（固形排泄物）と類別される。上記したパターン２Ａの場合には、排泄物の種類が水様便（第一流動排泄物）と類別される。上記したパターン３Ａの場合には、排泄物の種類が尿便（第二流動排泄物）と類別される。これらのパターン１Ａ〜３Ａでは、各種の排泄物に含有される水分量に応じた湿度上昇幅の大小に着目することで、排泄物の種類が類別される。
【０１２９】
――第二変形例――
第二変形例では、センサ装置７，１０によって検出された温度が所定値以上であることを前提とし、センサ装置７，１０で検出された湿度の高低によって排泄物の種類を類別する。
ここでいう「所定値」の一例としては、着用者の排泄時に検出される温度の下限として予め設定された値が挙げられる。さらに、排泄開始から排泄物の種類が類別されるまでの期間を短縮する観点からは「所定値」が低いほど好ましく、排泄の有無を精度よく類別する観点からは「所定値」が硬いほど好ましい。
【０１３０】
たとえば、下記のパターン１Ｂ〜３Ｂのそれぞれに応じて排泄物の種類が類別される。
・パターン１Ｂ：検出湿度が第一閾値以下である
・パターン２Ｂ：検出湿度が第一閾値を超えて第二閾値以下である
・パターン３Ｂ：第二閾値を超える
上記したパターン１Ｂの場合には、排泄物の種類が固形の排泄物（固形排泄物）と類別される。上記したパターン２Ｂの場合には、排泄物の種類が水様便（第一流動排泄物）と類別される。上記したパターン３Ｂの場合には、排泄物の種類が尿便（第二流動排泄物）と類別される。これらのパターン１Ｂ〜３Ｂでは、各種の排泄物に含有される水分量に応じた湿度の高低（湿度の値そのもの）に着目することで、排泄物の種類が類別される。
【０１３１】
そのほか、排泄物の類別に関し、検出湿度にかかわらず、センサ装置で検出された温度が所定値以上の期間が所定期間を超えて継続する場合には、排泄物の種類を固形の排泄物と類別してもよい。また、検出湿度の上昇度合いが小さく、その後に検出湿度の低下度合いが大きい場合には、排泄物の種類を尿便と類別し、この尿便の排泄量が少量と判定してもよい。
なお、類別部１１３，１１３′によって類別された排泄物の種類や、この類別に用いられる値や範囲は、適宜書き換えることが可能である。たとえば、類別部１１３，１１３′によって類別された排泄物の種類を手動で修正することができる。さらに、排泄物の種類に対する修正データに基づいて、類別の用いられる値や範囲を最適化してもよく、このような自律的な演算によって類別された排泄物の種類を自動的に修正してもよい。
【０１３２】
あるいは、介護記録や排泄記録、育児記録、保育記録などを管理するために、報知システム１において、検出された雰囲気情報や排泄時点，不快度といった種々のデータを報知部１３０，１３０′以外のディスプレイやプリンタなどに出力してもよい。この場合には、たとえば排泄記録表の作成作業を自動化することができ、介護や保育、育児に関する作業負荷を軽減させることができる。
【０１３３】
なお、取付部１２，１２′の少なくとも一部の通気領域ＲVにおける通気性が紙おむつ２の通気性と同等であってもよい。すなわち、取付部１２，１２′の通気領域ＲVが紙おむつ２のもの以上の通気性を有していればよい。この場合にも、センサ装置１０の取り付けによる紙おむつ２の通気性の低下を抑えることができ、着用者の快適性を確保することができる。
【符号の説明】
【０１３４】
１    報知システム
２    紙おむつ（吸収性物品）
２ａ    吸収体
３    報知システム
４    吸収性物品
５    紙おむつ（外装体）
５Ａ    前身頃
５Ｂ    後身頃
５Ｃ    股下部
６    尿パッド（内装体）
７    センサ装置
８    ストラップ
１０    センサ装置
１１    装置本体部
１１Ａ    ハウジング
１１ａ    検出部（露出部位）
１２，１２′    取付部
１２ａ，１２ａ′    通気層
１２ｂ，１２ｂ′    付着層
１３′    通気孔
３０    情報処理システム
４７    センサ付き吸収性物品
５１    案内部
５２    第二結合部
７１    検出部
７２    ハウジング
７３    結合部
７４    電源ボタン
７９    面ファスナー
９０    中継機（中継部）
９１    第一中継機
９２    第二中継機
１００，１００′    コンピュータ
１１０，１１０′    演算部
１１１，１１１′    判定部
１１２，１１２′    タイマ
１１３，１１３′    類別部
１２０，１２０′    メモリ
１２６    プログラム
１２７    記録媒体
１２８    オンラインストレージ
１３０，１３０′    報知部
１３０Ａ′    パーソナルコンピュータ（報知部）
１３０Ｂ′    多機能携帯端末（報知部）
Ｌ1    寝室（第一地点）
Ｌ2    食堂（第二地点）
ＲV    通気領域
【図１】
2018023778.tif 000005
【図２】
2018023778.tif 000006
【図３】
2018023778.tif 000007
【図４】
2018023778.tif 000008
【図５】
2018023778.tif 000009
【図６】
2018023778.tif 000010
【図７】
2018023778.tif 000011
【図８】
2018023778.tif 000012
【図９】
2018023778.tif 000013
【図１０】
2018023778.tif 000014
【図１１】
2018023778.tif 000015